【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
0.01pF以上から0.2pF以下の静電容量を有する微小容量素子とλg／２オープンスタブ素子を直列共振させて入力ＲＦ信号のインピーダンス変換を行うことによって、電磁波放射損を抑制しＲＦ信号振幅を昇圧しかつ、直流で開放状態としてバイアス印加に必要なキャパシタを不要とすることを特徴とするマイクロ波周波数帯スタブ共振昇圧回路。
【請求項２】
前記ＲＦ信号振幅を昇圧する場合の昇圧比は、１９以上から３３以下の範囲であることを特徴とする請求項１記載のマイクロ波周波数帯スタブ共振昇圧回路。
【請求項３】
前記請求項１又は２のマイクロ波周波数帯スタブ共振昇圧回路での微小容量素子とオープンスタブ素子の接続点に整流ダイオード素子１のアノード又はカソード端子と整流ダイオード素子２の整流ダイオード素子１とは逆の極性の端子を接続し、整流ダイオード素子１のもう一方の端子をＲＦ信号接地レベル部位に接続し、整流ダイオード素子２のもう一方の端子を整流出力のためのキャパシタンス素子に接続しこれをチャージしてＲＦ入力信号の昇圧整流出力を得て、更に、前記オープンスタブが直流で開放状態であることを利用して２倍圧整流に必要なキャパシタの挿入を不要としマイクロ波帯での損失を軽減することを特徴とするマイクロ波帯昇圧整流回路。
【請求項４】
前記ＲＦ信号接地レベル部位として直流で分離されたもう１つの共振周波数が異なる昇圧整流回路の出力を用いることを特徴とする請求項３記載のマイクロ波帯昇圧整流回路。
【請求項５】
前記整流ダイオード素子の整流ダイオード接合容量が、前記ＲＦ信号振幅の昇圧出力への容量性負荷となることを軽減しかつ、整流ダイオード素子により高いＲＦ信号振幅を誘起させる目的で整流ダイオードの接合容量と直列共振するインダクタンス素子を整流ダイオード素子の片側に挿入しかつ各ダイオード素子に挿入するインダクタンス素子の値をずらすことによって各ダイオードの共振周波数が重ならないことでより高い昇圧整流比を得ることを特徴とする請求項３記載のマイクロ波帯昇圧整流回路。
【請求項６】
前記ＲＦ信号接地レベル部位として直流バイアス源を用い前記整流ダイオードに順バイアス電流を流し微弱なＲＦ入力信号に対しても検波出力を得るためにRF入力信号及び受信検波回路の接地と前記スタブ共振昇圧回路の接地とを高抵抗値で接続しかつこれと並列にコンデンサを接続して前記高抵抗に微弱な直流電流を流すことで前記整流ダイオードを順バイアス状態とすることを特徴とする請求項３又は４記載のマイクロ波帯昇圧整流回路。
【請求項７】
請求項６記載の直流バイアス源を有するマイクロ波帯昇圧整流回路でＲＦ信号から切り離されたダイオード群にもバイアス電流を供給しその出力電位差によってＲＦ信号の有無を判定するＡＳＫ復調方法であって、マイクロ波昇圧整流回路側の出力平均電圧をＲＦ信号から切り離されたダイオード郡の出力に加えることでＡＳＫ復調の高速化を図ることを特徴とする無線タグ装置。
【請求項８】
前記ＡＳＫ復調出力に１種類以上のパルス幅検出回路を接続し待ち受けタイマー動作している制御回路（マイクロプロセッサ）にパルス幅検出回路の出力で割り込み処理させることによって、タイマーによるパルス間隔時間測定結果とパルス種別との組み合わせによる受信ＲＦ信号のパルス列符号受信待ち受けを低い消費電力で行うことを特徴とする請求項７記載の無線タグ装置。
【請求項９】
請求項８記載のパルス列符号受信待ち受けによって指定された無線タグを起動し一定時間内蔵する周波数安定度の高い発振源を用いたＣＷサブキャリア応答信号をリーダ側へ返送することによって、リーダ側はその一定時間内に質問周波数を掃引してタグ・リーダ間往復の周波数応答を観測することでタグの位置を求めることを特徴とする無線タグシステム。
【請求項１０】
前記パルス列符号受信待ち受けによって指定された無線タグを起動し一定時間センサによる測定結果をデジタル化しサブキャリアＭＰＳＫでリーダ側へ転送することを特徴とする請求項９記載の無線タグシステム。
【請求項１１】
請求項７または８の無線タグを搭載した移動体と、請求項９または１０の無線タグシステムとで構成されたことを特徴とする移動体の位置検出システム。
【手続補正２】
【補正対象書類名】明細書
【補正対象項目名】００２９
【補正方法】変更
【補正の内容】
【００２９】
請求項１に係る発明は、0.01pF以上から0.2pF以下の静電容量を有する微小容量素子とλg／２オープンスタブ素子を直列共振させて入力ＲＦ信号のインピーダンス変換を行うことによって、電磁波放射損を抑制しＲＦ信号振幅を昇圧しかつ、直流で開放状態としてバイアス印加に必要なキャパシタを不要とすることを特徴とするマイクロ波周波数帯スタブ共振昇圧回路である。
請求項２に係る発明は、前記ＲＦ信号振幅を昇圧する場合の昇圧比は、１９以上から３３以下の範囲であることを特徴とする請求項１記載のマイクロ波周波数帯スタブ共振昇圧回路である。
【手続補正３】
【補正対象書類名】明細書
【補正対象項目名】００３０
【補正方法】変更
【補正の内容】
【００３０】
請求項３に係る発明は、前記請求項１又は２のマイクロ波周波数帯スタブ共振昇圧回路での微小容量素子とオープンスタブ素子の接続点に整流ダイオード素子１のアノード又はカソード端子と整流ダイオード素子２の整流ダイオード素子１とは逆の極性の端子を接続し、整流ダイオード素子１のもう一方の端子をＲＦ信号接地レベル部位に接続し、整流ダイオード素子２のもう一方の端子を整流出力のためのキャパシタンス素子に接続しこれをチャージしてＲＦ入力信号の昇圧整流出力を得て、更に、前記オープンスタブが直流で開放状態であることを利用して２倍圧整流に必要なキャパシタの挿入を不要としマイクロ波帯での損失を軽減することを特徴とするマイクロ波帯昇圧整流回路である。
【手続補正４】
【補正対象書類名】明細書
【補正対象項目名】００３１
【補正方法】変更
【補正の内容】
【００３１】
請求項４に係る発明は、前記ＲＦ信号接地レベル部位として直流で分離されたもう１つの共振周波数が異なる昇圧整流回路の出力を用いることを特徴とする請求項３記載のマイクロ波帯昇圧整流回路である。
【手続補正５】
【補正対象書類名】明細書
【補正対象項目名】００３２
【補正方法】変更
【補正の内容】
【００３２】
請求項５に係る発明は、前記整流ダイオード素子の整流ダイオード接合容量が、前記ＲＦ信号振幅の昇圧出力への容量性負荷となることを軽減しかつ、整流ダイオード素子により高いＲＦ信号振幅を誘起させる目的で整流ダイオードの接合容量と直列共振するインダクタンス素子を整流ダイオード素子の片側に挿入しかつ各ダイオード素子に挿入するインダクタンス素子の値をずらすことによって各ダイオードの共振周波数が重ならないことでより高い昇圧整流比を得ることを特徴とする請求項３記載のマイクロ波帯昇圧整流回路である。
【手続補正６】
【補正対象書類名】明細書
【補正対象項目名】００３３
【補正方法】変更
【補正の内容】
【００３３】
請求項６に係る発明は、前記ＲＦ信号接地レベル部位として直流バイアス源を用い前記整流ダイオードに順バイアス電流を流し微弱なＲＦ入力信号に対しても検波出力を得るためにRF入力信号及び受信検波回路の接地と前記スタブ共振昇圧回路の接地とを高抵抗値で接続しかつこれと並列にコンデンサを接続して前記高抵抗に微弱な直流電流を流すことで前記整流ダイオードを順バイアス状態とすることを特徴とする請求項３又は４記載のマイクロ波帯昇圧整流回路である。
【手続補正７】
【補正対象書類名】明細書
【補正対象項目名】００３４
【補正方法】変更
【補正の内容】
【００３４】
請求項７に係る発明は、請求項６記載の直流バイアス源を有するマイクロ波帯昇圧整流回路でＲＦ信号から切り離されたダイオード群にもバイアス電流を供給しその出力電位差によってＲＦ信号の有無を判定するＡＳＫ復調方法であって、マイクロ波昇圧整流回路側の出力平均電圧をＲＦ信号から切り離されたダイオード郡の出力に加えることでＡＳＫ復調の高速化を図ることを特徴とする無線タグ装置である。
【手続補正８】
【補正対象書類名】明細書
【補正対象項目名】００３５
【補正方法】変更
【補正の内容】
【００３５】
請求項８に係る発明は、前記ＡＳＫ復調出力に１種類以上のパルス幅検出回路を接続し待ち受けタイマー動作している制御回路（マイクロプロセッサ）にパルス幅検出回路の出力で割り込み処理させることによって、タイマーによるパルス間隔時間測定結果とパルス種別との組み合わせによる受信ＲＦ信号のパルス列符号受信待ち受けを低い消費電力で行うことを特徴とする請求項６記載の無線タグ装置である。
【手続補正９】
【補正対象書類名】明細書
【補正対象項目名】００３６
【補正方法】変更
【補正の内容】
【００３６】
請求項９に係る発明は、請求項８記載のパルス列符号受信待ち受けによって指定された無線タグを起動し一定時間内蔵する周波数安定度の高い発振源を用いたＣＷサブキャリア応答信号をリーダ側へ返送することによって、リーダ側はその一定時間内に質問周波数を掃引してタグ・リーダ間往復の周波数応答を観測することでタグの位置を求めることを特徴とする無線タグシステムである。
【手続補正１０】
【補正対象書類名】明細書
【補正対象項目名】００３７
【補正方法】変更
【補正の内容】
【００３７】
請求項１０に係る発明は、前記パルス列符号受信待ち受けによって指定された無線タグを起動し一定時間センサによる測定結果をデジタル化しサブキャリアＭＰＳＫでリーダ側へ転送することを特徴とする請求項９記載の無線タグシステムである。
請求項１１に係る発明は、請求項７または８の無線タグを搭載した移動体と、請求項９または１０の無線タグシステムとで構成されたことを特徴とする移動体の位置検出システムである。